(57)【要約】【課題】  印字体にインクを補充したり、印鑑ユニットの交換を容易とする。また、携帯したときに不用意に蓋が開かないようにロック可能とする。【解決手段】  本発明の開閉式蓋付き印鑑は、印字体を下端に設けた印鑑ユニットと、印鑑ユニットを内部に固定した外筒と、外筒の内側に上下方向にスライド自在に配設した内筒と、遮蔽部と軸支部を有した蓋と、その軸支部が内筒に対し回動可能に軸支され、内筒の内側で外筒に支持筒が設けられ、内筒の上下動に連動して蓋が回動して閉じた状態で印字体が遮蔽されると共に開いた状態で印字体が解放されるものであって、支持筒に印鑑ユニットの中筒を挿通して取付けると共に中筒の上端に脱着自在な栓を取付けて、外筒後端に取付けられるキャップを外すと詮が露出する。また、蓋部が閉じた状態に於いて、内筒に対し外筒の下動が阻止されるように相互間にロック機構が設けられてなる。【選択図】        図４
2005022421.tif 000002
【特許請求の範囲】
【請求項１】
連続気孔を有した多孔性印材からなる印字体を下端に設けた印鑑ユニットと、下端を開口すると共に印鑑ユニットを内部に固定した外筒と、下端を開口するとともに側面に窓孔を設けて印鑑ユニットの外側で且つ外筒の内側に下端部を外筒の下端より突出させて外筒に対し上下方向にスライド自在に配設した内筒と、腕部の下端に遮蔽部と腕部の略上端に軸支部を有した蓋を備えて、蓋の軸支部が内筒に対して回動可能に軸支され、更に内筒の内側で外筒に支持筒が設けられて、外筒に対する内筒の上下動に連動して蓋が回動することにより、閉じた状態で印字体の下方が遮蔽されると共に開いた状態で印字体の下方が解放可能となる開閉式蓋付き印鑑に於いて、
支持筒は、上下方向に開通して設けられ、その支持筒に、印字体とインク吸蔵体を下端部に保持した印鑑ユニットの中筒を挿通して取付けると共に、中筒の上端に脱着自在な栓を取付けて、外筒の後端に取付けられるキャップを外すと、詮が露出した状態となるように設けられてなる開閉式蓋付き印鑑。
【請求項２】
蓋部が閉じた状態に於いて、内筒に対する外筒の下動が阻止可能となるように内筒と外筒との相互間にロック機構が設けられてなる請求項１に記載の開閉式蓋付き印鑑。
【請求項３】
ロック機構は、下端方向にストッパー片が延設されると共にキャップと回転方向で一体となるように係合されており、外筒に対しキャップを回動することで連動して回動し、
また、内筒には仕切壁が設けられ、その仕切壁に溝部が形成されて、キャップを回動してストッパー片の前端が溝部に挿通する状態に位置したときに、内筒に対し外筒が下動可能となり、キャップを回動してストッパー片の前端が仕切壁に重なる状態に位置したときに内筒に対し外筒が下動阻止されるように構成されてなる請求項２に記載の開閉式蓋付き印鑑。
【発明の詳細な説明】
【技術分野】
【０００１】
本発明は開閉式蓋付き印鑑に関する。
【背景技術】
【０００２】
【特許文献１】実用新案登録公報第２５１９８３３号
【０００３】
従来、インクを吸蔵可能なスポンジゴム等の連続気孔を有する多孔性印材を用いて、捺印の際にインクを付着させる必要のない浸透印と称される印鑑が公知である。
この種の印鑑は、印面を保護するために脱着式のキャップを備えているが、捺印するたびにキャップを脱着する作業が面倒であり、又、脱着する際に手が印面に触れてインクで汚れたり、外したキャップが紛失する等の問題があった。
【０００４】
このような問題を解決するために、例えば本出願人によって実用新案登録公報第２５１９８３３号後方に示されたような蓋付き印鑑が考案されている。しかしながら、やはり蓋を開閉するための操作が必要であるという面倒があり、又、蓋が開くときに変形するので材料が劣化しやすいという不満がある。又、蓋の開閉を円滑にするために回転式の蓋を備えた印鑑も存在するが、蓋の組付けが困難であるという問題がある。又、印鑑を携帯したときに不用意に蓋が開いて周囲を汚したり、印面に傷を付けたりゴミが付着したりする問題が存在する。又更に、印字体にインクを補充したり、印鑑ユニット自身を交換する必要が生じた際に蓋が邪魔となりその作業がしずらいという問題が存在する。
【発明の開示】
【発明が解決しようとする課題】
【０００５】
本発明は上記の問題を解決すること、すなわち、捺印する際に内筒に対する外筒の上下作動だけで蓋が自動的に開いて利便であり、又、蓋が開く際に変形せず劣化の心配がなく、又、印鑑を携帯したときに不用意に蓋が開かないようにロックされて、蓋が不用意に開く原因で周囲を汚したり印面に傷を付けたりゴミが付着したりする問題を防止可能とする。又更に、印字体にインクを補充したり、印鑑ユニット自身を交換する際に蓋が拡開状態にロックされて容易に作業が行えることを可能とする。
【課題を解決するための手段】
【０００６】
本発明は、上記課題を達成するために以下の構成を有する。
請求項１に記載の開閉式蓋付き印鑑は、連続気孔を有した多孔性印材からなる印字体を下端に設けた印鑑ユニットと、下端を開口すると共に印鑑ユニットを内部に固定した外筒と、下端を開口するとともに側面に窓孔を設けて印鑑ユニットの外側で且つ外筒の内側に下端部を外筒の下端より突出させて外筒に対し上下方向にスライド自在に配設した内筒と、腕部の下端に遮蔽部と腕部の略上端に軸支部を有した蓋を備えて、蓋の軸支部が内筒に対して回動可能に軸支され、更に内筒の内側で外筒に支持筒が設けられて、外筒に対する内筒の上下動に連動して蓋が回動することにより、閉じた状態で印字体の下方が遮蔽されると共に開いた状態で印字体の下方が解放可能となる開閉式蓋付き印鑑に於いて、支持筒は、上下方向に開通して設けられ、その支持筒に、印字体とインク吸蔵体を下端部に保持した印鑑ユニットの中筒を挿通して取付けると共に、中筒の上端に脱着自在な栓を取付けて、外筒の後端に取付けられるキャップを外すと、詮が露出した状態となるように設けられてなる。
【０００７】
請求項２に記載の発明に係る開閉式蓋付き印鑑は、請求項１に記載の開閉式蓋付き印鑑に於いて、蓋部が閉じた状態に於いて、内筒に対する外筒の下動が阻止可能となるように内筒と外筒との相互間にロック機構が設けられてなる。
【０００８】
請求項３に記載の発明に係る開閉式蓋付き印鑑は、請求項２に記載の開閉式蓋付き印鑑に於いて、ロック機構は、下端方向にストッパー片が延設されると共にキャップと回転方向で一体となるように係合されており、外筒に対しキャップを回動することで連動して回動し、また、内筒には仕切壁が設けられ、その仕切壁に溝部が形成されて、キャップを回動してストッパー片の前端が溝部に挿通する状態に位置したときに、内筒に対し外筒が下動可能となり、キャップを回動してストッパー片の前端が仕切壁に重なる状態に位置したときに内筒に対し外筒が下動阻止されるように構成されてなる。
【発明の効果】
【０００９】
本発明は上記の通りであり、外筒２を押し下げる操作で蓋５が自動的に開くので、特に蓋５を開くための面倒な操作が不要となり、又、印面２０に手が触れることもないのでインクで手が汚れる心配もなく、さらに、蓋５が紛失する虞もない。また、蓋５は回動によって開閉するので、蓋５が変形して劣化する心配がなく、開閉動作も円滑である。また、蓋５を組み付ける場合に、内筒１のＵ字溝１６に蓋５の軸支部１４を嵌め込んでから内筒１を外筒２の内側に挿入すればよいので、蓋５を無理に変形させることもなく、容易に組み付けることができる。
又、印鑑を携帯したときに不用意に蓋が開かないようにロックされるので周囲を汚したり印面に傷を付けたりゴミが付着したりする問題が防止可能となる。
又、印字体にインクを補充したり印鑑ユニット自身を交換する際に蓋が拡開状態にロックされるので容易に作業が行える。
又、薄肉で華奢な遮蔽部が補強され且つ遮蔽部が損傷されない形状となり、更に外観の見栄えが良い開閉式蓋付き印鑑の提供が可能となる。
【発明を実施するための最良の形態】
【００１０】
以下、図示した本発明の実施例について説明する。
まず、図１に示すように、内筒１の外側を外筒２が覆って、内筒１の下端部が外筒２の下端開口から下方へ突出している。この外筒２は内筒１に対し上下方向へスライド自在である。内筒１は側面に窓孔３を有し、外筒２は側面に切欠部４を有して、この窓孔３と切欠部４の位置に蓋５を配設している。また、外筒２は上端部に着脱自在なキャップ６を取付けている。
【００１１】
一方、図５に示すように印鑑ユニット２２は、連続気孔を有した多孔性印材からなる印字体７とインク吸蔵体８を下端部に保持した中筒９と栓１０とで構成されている。
【００１２】
次に、図２に示すように、外筒２は内部に上下方向に開通した支持筒２１を設けて、その支持筒２１に、印字体７とインク吸蔵体８を下端部に保持した中筒９を挿通することにより固定状態に取付けている。又、支持筒２１の外側にロック筒２５が被嵌されると共に支持筒２１は、その後方に設けた鍔部（図示せず）が外筒２の内段部２９の下端に当接し止めリング２８が内段部２９の上端に当接した状態で固定されている。又、そのときにロック筒２５は段部２５ｅが外筒２の内段部２９と止めリング２８の前端の間で狭窄されている。尚、ロック筒２５は外筒２に対し適宜範囲で回動可能に取付けられている。更に、ロック筒２５の詳細に付いては後述する。
【００１３】
中筒９は上端に脱着自在な栓１０を取付けている。外筒２からキャップ６を外すと、印鑑ユニット２２における中筒９の上端部に取付けた詮１０が露出し、この詮１０を中筒９から外せば、中筒９に上端開口からインクを注入して中筒９の下端部に保持したインク吸蔵体８へインクを補給することができる。
又、インク吸蔵８も印字体７も連続気孔を有する多孔性素材を用いている。
又、内筒１と外筒２の間に内筒１に対し外筒２を上方へ押し上げるスプリング１１を介装している。
【００１４】
次に、蓋５は上下方向に長い腕部１２と、その腕部１２の下端部から略直角方向へ突出する遮蔽部１３とから成り、その腕部１２の上端部に側方へ突出する回転軸状の軸支部１４を設けるとともに、腕部１２の上端部の内面側に足片１５を突設している。なお、上記軸支部１４は相対する取付部と対応して孔や孔にピンを挿通する方法などで形成可能である。
【００１５】
蓋５を回転自在に取付けるために、図３に示すように、内筒１の窓孔３の縁にＵ字溝１６を設けるとともに、外筒２の切欠部４の縁にＵ字溝１６の外側を覆うカバー部１７（図１及び図４参照）を設けている。
蓋５を取付けるには、内筒１を外筒２に挿入する前に内筒１のＵ字溝１６に蓋５の回転軸の軸支部１４を嵌め込み、それから内筒１を外筒２の内側に挿入してＵ字溝１６の外側をカバー部１７で覆って軸支部１４を抜け止めすればよい。したがって、蓋５は変形することなく容易に取付けることができる。
【００１６】
又、蓋部５の遮蔽部１３と腕部１２が接続する部位に凸状稜線部２３を有した側壁面を形成すると共に、内筒１に蓋部５に形成した凸状稜線部２３が略密接状に迎合する凹状稜線部２４が形成されている。又、中筒９の側面で蓋５の腕部１２の内面と対面する位置には、蓋５が閉じたときに腕部１２の内面に突設した足片１５の先端が嵌入する凹部１８を設けている。又、中筒９を保持する支持筒２１の側面で、中筒９の凹部１８の僅か上方に、外筒２と一体的に下降するときに足片１５の上面側に当たって足片１５を押すことにより蓋５の腕部１２を外側に回転させる押し部１９を設けている。尚、押し部１９は中筒９の側面に設けることも可能である。
【００１７】
図２に示すように、スプリング１１の力で内筒１に対し外筒２が押し上げられている状態では、蓋５が閉じて、蓋５の遮蔽部１３が印字体７の下方を覆って印面２０を保護している。
【００１８】
そして、内筒１の下端を捺印する書類等の上に当てた状態でスプリング１１を圧縮しながら外筒２を押し下げると、上記のように支持筒２１の押し部１９が足片１５を押して回転腕部１２が外側へ回転することにより蓋５が開く。
この時、図４に示すように、遮蔽部１３が内筒１及び外筒２の外に出て、印字体７の下方が解放されるので、さらに外筒２を下降させて印字体７の印面２０を内筒１の下端開口から露出させることにより捺印が可能となる。なお、蓋５が開いた状態は足片１５の先端が支持筒２１の側面に当接して支持されることにより維持される。外筒２に対する押し下げ力を解除すると、スプリング１１の復元力で外筒２が上昇し、これにより蓋５が自動的に閉じて図２に示す状態に戻る。
【００１９】
ところで、図６及び図７はロック筒２５を示している。ロック筒２５は上端にリング状の摘み部２５ｄを有し、その下端の段部２５ｅの下端方向にストッパー片２５ａが延設されている。又、ストッパー片２５ａの下端側外周にそれぞれ段部２５ｂと端部２５ｃが形成されている。
【００２０】
図８は図２のＢ断面矢視の要部を示している。内筒１の仕切壁２６には軸心に貫通孔２７が設けられ、その貫通孔の周面にやや深め周状の溝部２７ａとそれよりやや浅め周状の溝部２７ｂが形成され、一方の端部に突部２７ｃと当接部２７ｅが他方の端部に突部２７ｄと当接部２７ｆが設けられている。この状態ではロック筒２５のストッパー片２５ａが溝部２７ａ内に遊嵌した位置にあって、従って内筒１に対し外筒２は下動自在となっている。
【００２１】
又、図９は図４のＣ断面矢視の要部を示している。この状態もロック筒２５のストッパー片２５ａが溝部２７ａ内に遊嵌した位置にあって、従って内筒１に対し外筒２は上動自在となっている。
即ち、図８及図び図９の状態ではロック筒２５のストッパー片２５ａ先方の一側端が溝部２７ａの当接部２７ｅに当接した状態に位置決めされると共に、内筒１に対し外筒２が上下動し、蓋５が開閉自在となっている。
【００２２】
図１０は図２に対応する別の縦断面図であり、図１１は図１０のＤ断面矢視の要部を示している。即ち、ロック筒２５が回動されてその一端が溝部２７ｂの当接部２７ｆに当接した状態に位置決めされると共に、ロック筒２５の端部２５ｃが仕切壁２６上に重なるので内筒１に対し外筒２は下動阻止される。従って、この状態では蓋５が拡開不可となる。  
【００２３】
又、図１２は図４対応する別の縦断面図であり、図１３は図１２のＥ断面矢視の要部を示している。即ち、ロック筒２５が回動されてその一端が溝部２７ｂの当接部２７ｆに当接した状態に位置決めされると共に、ロック筒２５の段部２５ｂが仕切壁２６上に重なるので内筒１に対し外筒２は上動阻止される。
従って、この状態では蓋５が閉塞不可となる。
【００２４】
尚、ロック筒２５は、その止めリング２８の外周がキャップ６の内周と回転方向で一体となるように係合されており、外筒２に対しキャップ６を回動することで連動して回動する。又、ロック筒２５の回動位置決めは上述した実施形態の他に外筒２の上方に設けた内段部２９の貫通孔の周面に周状の溝部（図示せず）を設け、ロック筒２５のストッパー片２５ａの側端を溝部の両端にそれぞれ当接させた範囲で回動規制するように設けることもできる。
【図面の簡単な説明】
【００２５】
【図１】蓋が閉じた状態を示す側面図である。
【図２】図１のＡーＡ線における断面図である。
【図３】内筒の断面図である。
【図４】蓋を開いて捺印する状態を示す断面図である。
【図５】印鑑ユニットの断面図である。
【図６】ロック筒の断面図である。
【図７】ロック筒の側面図である。
【図８】図２に於けるＢ断面矢視の要部示す図である。
【図９】図４に於けるＣ断面矢視の要部示す図である。
【図１０】図２に対応する別の断面図である。
【図１１】図１０に於けるＤ断面矢視の要部示す図である。
【図１２】図４に対応する別の断面図である。
【図１３】図１２に於けるＥ断面矢視の要部示す図である。
【符号の説明】
【００２６】
１  内筒
２  外筒
３  窓孔
４  切欠部
５  蓋
６  キャップ
７  印字体
８  インク吸蔵体
９  中筒
１０  栓
１１  スプリング
１２  腕部
１３  遮蔽部
１４  軸支部
１５  足片
１６  Ｕ字溝
１７  カバー部
１８  凹部
１９  押し部
２０  印面
２１  支持筒
２２  印鑑ユニット
２３  凸部稜線部
２４  凹部稜線部
２５  ロック筒
２５ａ  ストッパー片
２５ｂ  段部
２５ｃ  端部
２５ｄ  摘み部
２５ｅ  段部
２６  仕切壁
２７  貫通孔
２７ａ  溝部
２７ｂ  溝部
２７ｃ  突部
２７ｄ  突部
２７ｅ  当接部
２７ｆ  当接部
２８  止めリング
２９  内段部
【図１】
2005022421.tif 000003
【図２】
2005022421.tif 000004
【図３】
2005022421.tif 000005
【図４】
2005022421.tif 000006
【図５】
2005022421.tif 000007
【図６】
2005022421.tif 000008
【図７】
2005022421.tif 000009
【図８】
2005022421.tif 000010
【図９】
2005022421.tif 000011
【図１０】
2005022421.tif 000012
【図１１】
2005022421.tif 000013
【図１２】
2005022421.tif 000014
【図１３】
2005022421.tif 000015